(57)【要約】【課題】乾燥用空気の意図しない過度の加熱を防止する。【解決手段】吸込口１３を有し、掛け布団の外側に配置される吸込部１２と、吐出口２０を有し、敷き布団と掛け布団との間に配置される挿入部（重畳部１４、吐出部材１７）と、吸込口１３から吐出口２０に至る送風路２１中に配設され、外気を吸込口１３から吸い込んで吐出口２０から吐出する送風手段（ファン）２２と、吸込部１２上の掛け布団の有無を検出する布団検出手段（赤外線センサ）３１Ａ，３１Ｂと、布団検出手段３１Ａ，３１Ｂから入力される布団有無信号により吸込部１２に掛け布団が掛けられているか否かを判断する判断手段（マイコン３４）と、を備える。【選択図】図２
2014079278.tif 000002
【特許請求の範囲】
【請求項１】
吸込口を有し、掛け布団の外側に配置される吸込部と、
吐出口を有し、敷き布団と掛け布団との間に配置される挿入部と、
前記吸込口から前記吐出口に至る送風路中に配設され、外気を前記吸込口から吸い込んで前記吐出口から吐出する送風手段と、
前記吸込部に設けられ、前記吸込部上の掛け布団の有無を検出する布団検出手段と、
前記布団検出手段から入力される布団有無信号により前記吸込部に掛け布団が掛けられているか否かを判断する判断手段と、
を備えることを特徴とする布団乾燥機。
【請求項２】
前記布団検出手段を２個以上設け、
前記判断手段は、少なくとも１個の前記布団検出手段からの布団有無信号により前記吸込部に掛け布団が掛けられていると判断する
ことを特徴とする請求項１に記載の布団乾燥機。
【請求項３】
前記布団検出手段は、少なくとも前記吸込部の両側部に配設されていることを特徴とする請求項２に記載の布団乾燥機。
【請求項４】
前記判断手段は、前記布団検出手段からの布団有無信号による布団有判定が設定した判断時間以上継続した場合または判断回数以上連続して成立した場合に掛け布団が掛けられていると判断することを特徴とする請求項１乃至請求項３のいずれか１項に記載の布団乾燥機。
【請求項５】
前記吸込口から吸い込んだ外気を加熱する加熱手段を更に備え、前記判断手段が前記吸込部に掛け布団が掛けられていると判断すると、前記加熱手段の動作を停止することを特徴とする請求項１乃至請求項４のいずれか１項に記載の布団乾燥機。
【請求項６】
前記加熱手段の動作を停止した後、前記送風手段を設定した冷却時間動作させることを特徴とする請求項５に記載の布団乾燥機。
【請求項７】
前記布団検出手段を、前記吸込部における前記挿入部側に配設したことを特徴とする請求項１乃至請求項６のいずれか１項に記載の布団乾燥機。
【請求項８】
前記布団検出手段を、前記吸込部における前記吸込口より前記挿入部側に配設したことを特徴とする請求項７に記載の布団乾燥機。
【請求項９】
前記吸込部に操作パネルを設け、前記布団検出手段を、前記操作パネルにおける前記挿入部側に配設したことを特徴とする請求項７または請求項８に記載の布団乾燥機。
【請求項１０】
前記吸込部の全高を前記挿入部の全高より高くして、前記吸込部に前記送風手段を配設したことを特徴とする請求項１乃至請求項９のいずれか１項に記載の布団乾燥機。
【請求項１１】
送風手段によって掛け布団の外側に配置される吸込部の吸込口から外気を吸い込み、敷き布団と掛け布団との間に配置される挿入部の吐出口から吐出する布団乾燥工程と、
前記布団乾燥工程と並行処理され、前記吸込部に設けた布団検出手段によって前記吸込部上の掛け布団の有無を検出し、判断手段が前記布団検出手段から入力される布団有無信号により前記吸込部に掛け布団が掛けられているか否かを判断する布団検出工程と、
を備えることを特徴とする布団乾燥機の制御方法。
【発明の詳細な説明】
【技術分野】
【０００１】
本発明は、敷き布団と掛け布団との間に一部を挿入して使用する布団乾燥機およびその制御方法に関する。
【背景技術】
【０００２】
布団乾燥機は、外装体の内部に送風手段と加熱手段とを備え、吸込口から吸い込んだ外気を加熱して吐出口から吐出する。吐出口側の一部が敷き布団と掛け布団との間に挿入配置され、これらの間に加熱した乾燥用空気を供給することにより、各布団を乾燥させる。
【０００３】
特許文献１に記載の布団乾燥機は、外装体の一端の吸込口に連通するダクトを備える。ダクトは送風路を構成し、内部に送風手段と加熱手段とが配設され、ダクトの先端の吐出口から加熱した温風を吐出する。また、敷き布団と掛け布団との間に配置され、これらの間に送風空間を形成するためのアームが搭載されている。
【０００４】
誤使用により掛け布団で吸込口が塞がれると、外気の吸引が断たれて少なくなるため、加熱手段による乾燥用空気の意図しない過度の加熱が生じる。なお、吸込口が塞がれると流体抵抗が増大するため、過負荷により送風手段（その駆動モータ）では過度の発熱が生じる。また、誤使用により布団乾燥機全体が覆い隠された場合、不注意で踏み付けて破損させる可能性がある。
【０００５】
そこで、特許文献２の乾燥機能つき寝具装置は、吐出口にて乾燥用空気の吐出温度を検出し、設定温度を越えると吸込口が塞がれていると判断する構成としている。しかしながら、吐出口の温度を検出する場合、既に乾燥用空気が過度に加熱された後の判断になるため好ましくない。
【先行技術文献】
【特許文献】
【０００６】
【特許文献１】特開平６−２１８１９０号公報
【特許文献２】特開平５−１５４２９１号公報
【発明の概要】
【発明が解決しようとする課題】
【０００７】
本発明は、乾燥用空気の意図しない過度の加熱を確実に防止できる布団乾燥機およびその制御方法を提供することを課題とする。
【課題を解決するための手段】
【０００８】
前記課題を解決するため、本発明の布団乾燥機は、吸込口を有し、掛け布団の外側に配置される吸込部と、吐出口を有し、敷き布団と掛け布団との間に配置される挿入部と、前記吸込口から前記吐出口に至る送風路中に配設され、外気を前記吸込口から吸い込んで前記吐出口から吐出する送風手段と、前記吸込部に設けられ、前記吸込部上の掛け布団の有無を検出する布団検出手段と、前記布団検出手段から入力される布団有無信号により前記吸込部に掛け布団が掛けられているか否かを判断する判断手段と、を備える構成としている。ここで、布団有無信号とは、布団を検出した場合に出力されて布団を検出しない場合には出力されない布団有信号、および、布団を検出しない場合に出力されて布団を検出した場合には出力されない布団無信号のうち、両方またはいずれか一方を意味する。敷き布団とは、人が上に横たわるものであり、ベッドのマットを含む。掛け布団とは、人の上に被せるものであり、毛布を含む。
【０００９】
この布団乾燥機の制御方法は、送風手段によって掛け布団の外側に配置される吸込部の吸込口から外気を吸い込み、敷き布団と掛け布団との間に配置される挿入部の吐出口から吐出する布団乾燥工程と、前記布団乾燥工程と並行処理され、前記吸込部に設けた布団検出手段によって前記吸込部上の掛け布団の有無を検出し、判断手段が前記布団検出手段から入力される布団有無信号により前記吸込部に掛け布団が掛けられているか否かを判断する布団検出工程と、を備える。
【００１０】
吸込口を有する吸込部に布団検出手段を設けているため、掛け布団が吸込部上にかけてセットされた誤使用状態を判断できる。即ち、吸込口が塞がれる可能性が高い状況を迅速に判断できるため、乾燥用空気の意図しない過度の加熱を確実に防止できる。また、不注意で踏み付けて布団乾燥機を破損させる問題も確実に防止できる。
【００１１】
前記布団検出手段を２個以上設け、前記判断手段は、少なくとも１個の前記布団検出手段からの布団有無信号により前記吸込部に掛け布団が掛けられていると判断することが好ましい。この場合、前記布団検出手段は、少なくとも前記吸込部の両側部に配設されていることが好ましい。このようにすれば、吸込部の一方の側部だけが掛け布団で覆い隠された状態でも確実に検出することができる。
【００１２】
前記判断手段は、前記布団検出手段からの布団有無信号による布団有判定が設定した判断時間または判断回数以上継続した場合に掛け布団が掛けられていると判断することが好ましい。このようにすれば、ユーザが布団乾燥機の乾燥コースを変更する場合等、一時的に布団検出手段上を塞いだ際の誤判断を防止できる。
【００１３】
前記吸込口から吸い込んだ外気を加熱する加熱手段を更に備え、前記判断手段が前記吸込部に掛け布団が掛けられていると判断すると、前記加熱手段の動作を停止することが好ましい。このようにすれば、過度に加熱された乾燥用空気が吐出口から吐出されることを防止できる。
【００１４】
この場合、前記加熱手段の動作を停止した後、前記送風手段を設定した冷却時間動作させることが好ましい。このようにすれば、加熱領域は勿論、布団乾燥機全体を迅速に冷却できる。
【００１５】
前記布団検出手段を、前記吸込部における前記挿入部側に配設することが好ましい。具体的には、前記布団検出手段を、前記吸込部における前記吸込口より前記挿入部側に配設することが好ましい。また、前記吸込部に操作パネルを設け、前記布団検出手段を、前記操作パネルにおける前記挿入部側に配設することが好ましい。このようにすれば、掛け布団で吸込口が塞がれることを確実に防止できる。また、操作パネルを隠した掛け布団上から負荷を加え、意図しない乾燥コースに変更される等の誤動作を防止できる。
【００１６】
前記吸込部の全高を前記挿入部の全高より高くして、前記吸込部に前記送風手段を配設することが好ましい。このようにすれば、吸込部上に掛け布団が掛けられることを抑制できる。
【発明の効果】
【００１７】
本発明の布団乾燥機では、吸込口を有する吸込部に布団検出手段を設けているため、掛け布団で吸込口が塞がれ、乾燥用空気の意図しない過度の加熱を防止できる。また、不注意で踏み付けて布団乾燥機を破損させることもない。
【図面の簡単な説明】
【００１８】
【図１】本発明に係る実施形態の使用状態の布団乾燥機を示す断面図。
【図２】図１の斜視図。
【図３】折畳み状態の布団乾燥機を示す斜視図。
【図４】布団乾燥機の構成を示すブロック図。
【図５】各乾燥コースの構成を示すタイムチャート。
【図６】布団乾燥機の制御を示すフローチャート。
【図７】図６のステップＳ３の布団検出工程を示すフローチャート。
【図８】図６のステップＳ４の割込停止工程を示すフローチャート。
【発明を実施するための形態】
【００１９】
以下、本発明の実施の形態を図面に従って説明する。
【００２０】
図１乃至図３は、本発明に係る実施形態の布団乾燥機１０を示す。図２および図３に示すように、布団乾燥機１０は、乾燥機本体（本体）１１と、乾燥機本体１１に対して回動可能にヒンジ接続した吐出部材１７とを有する外装体を備える。内部には、送風手段であるファン２２と、加熱手段であるＰＴＣヒータ２４とが配設され、吸い込んだ外気を加熱して吐出する。本実施形態では、乾燥機本体１１の吸込部１２上の掛け布団の有無を検出する布団検出手段として一対の赤外線センサ３１Ａ，３１Ｂを設けている。
【００２１】
図１および図２に示すように、乾燥機本体１１は、掛け布団の外側に露出して配置される吸込部１２と、敷き布団と掛け布団との間に挿入配置される重畳部（挿入部）１４とを備える。吸込部１２は、横向き（幅方向）に延びる四角筒形状をなし、両側面に外気を取り入れる吸込口１３が形成されている。重畳部１４は、吸込部１２の全高より低く形成され、吸込部１２との間に上向きに延びる垂直壁からなる段部１５が形成される。この段部１５により、吸込部１２上に掛け布団が掛けられることを抑制できる。
【００２２】
重畳部１４における吸込部１２と逆側の端部には、ヒンジ接続部１６が設けられている。ヒンジ接続部１６は、横方向の両端が開口した円筒状をなし、内部空間が送風路２１の一部を構成する。吐出部材１７が接続され、図２に示す使用状態および図３に示す折畳み状態の間で回動可能となる。
【００２３】
図２および図３に示すように、吐出部材１７は、使用状態で重畳部１４と一緒に敷き布団と掛け布団との間に配置される挿入部である。ヒンジ接続部１６の両側に回動可能に装着される一対の接続部１８，１８を備える。全高が吸込部１２の全高より低く、内部は中空状をなす。先端開口にはルーバー１９が配設され、その両側部に一対の吐出口２０，２０が設けられている。
【００２４】
図１に示すように、外装体の内部には、吸込口１３から吐出口２０に至る送風路２１が形成され、この送風路２１内にファン２２およびＰＴＣヒータ２４が配設されている。ファン２２はシロッコファンであり、吸込部１２内の吸込口１３の内側にそれぞれ配設されている。一対のファン２２，２２の間に配設した駆動手段である駆動モータ２３により回転される。ＰＴＣ（Positive Temperature Coefficient）ヒータ２４は、周辺温度に基づいた自己温調機能を有する。ＰＴＣヒータ２４は、多数のフィンを有する伝熱部材２５内に配設された状態で、重畳部１４内に配設されている。
【００２５】
ファン２２を動作させると、外気を吸込口１３から吸込部１２内に取り入れ、重畳部１４内に送出する。重畳部１４内ではＰＴＣヒータ２４により加熱された後、ヒンジ接続部１６内および吐出部材１７内を経由して吐出口２０から吐出される。なお、ＰＴＣヒータ２４による加熱温度を検出するために、重畳部１４内には、ファン２２による送風方向に対して伝熱部材２５の下流側に温度検出手段であるサーミスタ２６が配設されている。
【００２６】
使用状態での吸込部１２の上面には、段部１５の側に位置するように操作パネル２７が設けられ、その内側に操作基板２８が配設されている。操作基板２８には、図４に示す操作パネル２７の各部に対応するように、入力手段であるスイッチ２９ａ〜２９ｅと、表示手段であるＬＥＤ３０ａ〜３０ｏと、布団検出手段である２個の赤外線センサ３１Ａ，３１Ｂとが配設されている。
【００２７】
スイッチ２９ａは電源スイッチであり、操作の度にオンオフが繰り返される。スイッチ２９ｂはスタートスイッチであり、操作により選択された乾燥コースが実行される。スイッチ２９ｃは選択スイッチであり、布団乾燥コースを「標準」「送風仕上げ」「エコ」「あたため」「ダニ対策」の順番で選択できる。スイッチ２９ｄは温風／送風スイッチであり、衣類等の乾燥コースを「温風」「送風」の順番で選択できる。スイッチ２９ｅは時間選択スイッチであり、温風または送風の実行時間を「１５」「３０」「４５」「６０」「７５」「９０」「１２０」「１８０」分の順番で選択できる。
【００２８】
ＬＥＤ３０ａ〜３０ｅは、「標準」「送風仕上げ」「エコ」「あたため」「ダニ対策」という文字表示の横に設けられ、スイッチ２９ｃの操作による選択状態を示す。ＬＥＤ３０ｆ，３０ｇは、「温風」「送風」という文字表示の横に設けられ、スイッチ２９ｄの操作による選択状態を示す。ＬＥＤ３０ｈ〜３０ｏは、実行時間の数字の横に設けられ、スイッチ２９ｅの操作による選択状態を示す。
【００２９】
赤外線センサ３１Ａ，３１Ｂは発光部と受光部とを有し、発光部が発光した光（赤外線）の反射光を受光部が受光するか否かにより、上方の掛け布団の有無を検出する。掛け布団が上方に掛けられることにより受光部が反射光を受光した場合に出力する電圧（布団有信号）は、受光部が反射光を受光しない場合に出力する電圧（布団無信号）より高い。操作パネル２７の両側部に位置し、かつ、吸込口１３より重畳部１４の側に位置するように配設されている。
【００３０】
吸込部１２内には、段部１５の背面（内側）に位置するように基板ケース３２が配設され、その内部に操作基板２８に接続された制御基板３３が配設されている。制御基板３３には制御手段であるマイコン３４が実装されている。マイコン３４は、内蔵された記憶手段であるＲＯＭ３５に記憶されたプログラムに従って、ファン２２およびＰＴＣヒータ２４を制御し、選択されている所定の乾燥コースを実行する。
【００３１】
図５に示すように、各乾燥コースは、５種のステップの組み合わせにより構成されている。送風量調整ステップでは、ＰＴＣヒータ２４による加熱量を一定に維持し、サーミスタ２６の検出温度に基づいてファン２２による送風量を調整する。加熱量調整ステップでは、ファン２２による送風量を一定（最大）に維持し、サーミスタ２６の検出温度に基づいてＰＴＣヒータ２４をオンオフ制御する。送風ステップでは、ＰＴＣヒータ２４の動作を停止し、ファン２２による送風量を一定（最大）に維持する。非調整ステップでは、ＰＴＣヒータ２４による加熱量を一定に維持し、ファン２２による送風量を一定（最大）に維持する。冷却ステップでは、ＰＴＣヒータ２４の動作を停止し、ファン２２による送風量を一定（弱（例えば３５％））に維持する。なお、送風ステップと冷却ステップとは、送風ステップがユーザの選択時間だけ実行し、冷却ステップが予め設定された設定時間だけ実行する点で相違する。
【００３２】
本実施形態のマイコン３４は、赤外線センサ３１Ａ，３１Ｂから入力される布団有無信号により、吸込部１２上に掛け布団が掛けられているか否かを判断する判断手段の役割を兼ねる。２個の赤外線センサ３１Ａ，３１Ｂのうち、いずれか一方からでも布団有信号が入力されると、吸込部１２上に掛け布団が有る（掛けられている）と判定する（布団有判定）。但し、ユーザが布団乾燥機１０の乾燥コース変更を行う場合等、一時的に吸込部１２上を塞いだ際の誤判断を防止するために、設定した判定時間ｔ０（例えば0.017秒）毎に、掛け布団の有無を判定（一次判断）する。そして、布団有判定が設定した判断時間ｔ１（例えば２秒）以上継続した場合に、掛け布団が掛けられていると判断（二次判断）する。また、布団有りと判断すると、ＰＴＣヒータ２４の動作を停止するとともに、ファン２２を設定した冷却時間ｔ２（例えば２０秒）動作させる。なお、判断時間ｔ１は、判定時間ｔ０の１００回分以上の時間に相当する。
【００３３】
次に、マイコン３４による制御について具体的に説明する。
【００３４】
操作パネル２７のスイッチ２９ｃ〜２９ｅの操作により所定の乾燥コースが選択され、スイッチ２９ｂの操作により実行されると、図６に示すように、マイコン３４は、ステップＳ１の布団乾燥工程と、ステップＳ３の布団検出工程とを並行処理する。
【００３５】
ステップＳ１の布団乾燥工程では、送風コースを除き、ファン２２とＰＴＣヒータ２４とを動作させ、吸込口１３から吸い込んだ外気を加熱して吐出口２０から吐出する。そして、図５に示す各ステップを実行し、終了すると（ステップＳ２）、布団乾燥工程を終了する。
【００３６】
ステップＳ３の布団検出工程では、赤外線センサ３１Ａ，３１Ｂから入力される布団有無信号に基づいて布団の有無を判断する。この判断は、布団有りと判断しない限り、布団乾燥工程が終了するまで実行し続けられる。そして、布団有りと判断した場合には、ステップＳ４の割込停止工程とステップＳ５の異常報知工程とを並行処理する。
【００３７】
具体的には、図７に示すように、布団検出工程では、マイコン３４は、ステップＳ３−１で、判定時間ｔ０が経過するまで待機し、判定時間ｔ０が経過すると判定を行う。即ち、判定時間ｔ０毎に布団の有無の判定を行う。
【００３８】
ついで、ステップＳ３−２では、ステップＳ３−１の判定が布団有りか布団無しかを判断する。そして、布団無し判定である場合にはステップＳ３−３に進み、フラグｆを「０」としてステップＳ３−１に戻る。また、布団有り判定である場合にはステップＳ３−４に進む。なお、フラグｆは、「０」である場合には、布団無し判定でｔ１（判断）タイマのカウントが停止している状態を意味する。また、「１」である場合には、布団有り判定が継続して判断タイマがカウント中であることを意味する。
【００３９】
ステップＳ３−４では、ｆが「１」であるか否かを判断する。そして、「０」である場合、即ち初めての布団有り判定である場合、ステップＳ３−５でｆを「１」する。ついで、ステップＳ３−６で判断タイマをリセットしてスタートした後、ステップＳ３−１に戻る。また、「１」である場合、即ち継続した２回目以降の布団有り判定である場合、ステップＳ３−７に進む。
【００４０】
ステップＳ３−７では、判断タイマがカウントアップしたか否かを判断する。即ち、布団有り判定が判断時間ｔ１継続したか否かを判断する。そして、カウントアップしていない場合にはステップＳ３−１に戻る。また、カウントアップしている場合には、布団が掛けられていると判断してリターンする。これによりステップＳ４の割込停止処理とステップＳ５の異常報知処理とが実行される。
【００４１】
図８に示すように、ステップＳ４の割込停止処理では、マイコン３４は、ステップＳ４−１でＰＴＣヒータ２４を停止（オフ）した後、ステップＳ４−２でファン２２を３５％の通電率で動作させる。ついで、ステップＳ４−３で２０秒タイマをリセットしてスタートした後、ステップＳ４−４で２０秒タイマがカウントアップするまで待機する。そして、２０秒タイマがカウントアップすると、ステップＳ４−５でファン２２をオフしてリターンする（ステップＳ６に進む。）。この割込停止所定が終了した状態では、ステップＳ１の布団乾燥工程は一時停止（中断）した状態をなす。
【００４２】
また、ステップＳ５の異常報知工程では、マイコン３４は、制御基板３３に実装した図示しない圧電ブザーにより報知音を出力するとともに、操作基板２８に実装した所定のＬＥＤ３０ａ〜３０ｅを点滅させる。この異常報知工程は、ステップＳ６でスタートスイッチ２９ｂが操作されるか、ステップＳ７で電源入／切スイッチ２９ａが操作されるまで継続される。
【００４３】
ステップＳ６では、操作パネル２７のスタートスイッチ２９ｂが操作されたか否かを検出する。スタートスイッチ２９ｂの操作を検出するとステップＳ２に進み、中断されているステップＳ１の布団乾燥工程の続きを実行する。また、スタートスイッチ２９ｂの操作を検出しない場合にはステップＳ７に進む。
【００４４】
ステップＳ７では、操作パネル２７の電源入／切スイッチ２９ａが操作されたか否かを検出する。電源入／切スイッチ２９ａの操作を検出すると、マイコン３４は、ステップＳ１の布団乾燥工程の全ステップが終了していない中断状態でも、布団乾燥工程を終了する。また、電源入／切スイッチ２９ａの操作を検出しない場合にはステップＳ５に戻り、異常報知処理を継続する。
【００４５】
このように、吸込口１３を有する吸込部１２に一対の赤外線センサ３１Ａ，３１Ｂを設けているため、掛け布団が吸込部１２上にかけてセットされた誤使用状態を判断できる。しかも、赤外線センサ３１Ａ，３１Ｂは、吸込口１３より重畳部１４の側に位置するように操作パネル２７に設けられているため、掛け布団で吸込口１３が塞がれる可能性が高い状況を迅速に判断できる。
【００４６】
また、吸込部１２の両側部に配設した一対の赤外線センサ３１Ａ，３１Ｂのうち、一方からでも布団有信号が入力されると掛け布団が掛けられていると判断するため、吸込部１２に対して掛け布団が斜めにセットされた状態でも確実に検出することができる。しかも、布団有判定が判断時間ｔ１以上継続した場合に掛け布団が掛けられていると判断するため、ユーザが乾燥コースを変更する場合等、一時的に赤外線センサ３１Ａ，３１Ｂ上を塞いだ際の誤判断を防止できる。
【００４７】
そのため、掛け布団で吸込口１３が塞がれることに伴う乾燥用空気の意図しない過度の加熱を防止できる。また、布団乾燥機１０全体が覆い隠された状況にもならないため、不注意で踏み付けて破損させる問題も確実に防止できる。さらに、掛け布団上から操作パネル２７に負荷を加え、意図しない乾燥コースに変更される等の誤動作を防止できる。
【００４８】
そして、吸込部１２上に掛け布団が掛けられていると判断すると、ＰＴＣヒータ２４の動作を停止するため、過度に加熱された乾燥用空気が吐出口２０から吐出されることを防止できる。しかも、ＰＴＣヒータ２４を停止した後、ファン２２を冷却時間ｔ２だけ動作させるため、加熱領域は勿論、布団乾燥機全体を迅速に冷却できる。
【００４９】
なお、本発明の布団乾燥機１０およびその制御方法は、前記実施形態の構成に限定されるものではなく、種々の変更が可能である。
【００５０】
例えば、前記実施形態では、布団検出手段として赤外線センサ３１Ａ，３１Ｂを用いたが、フォトリフレクタや超音波センサ等を用いてもよい。また、２個の赤外センサＡ，Ｂを用いたが、中央部に１個だけ配設してもよいうえ、３個以上配設してもよい。さらに、配設部位は使用状態での上面に限られず、吸込口１３を設けた側面や段部１５に配設してもよい。しかも、使用状態での吸込部１２の上部両側に傾斜壁部を設けて、その傾斜壁部に配設してもよい。
【００５１】
また、前記実施形態では、布団有判定が判断時間ｔ１継続しなければ布団有りと判断しない構成としが、１回の布団有判定で直ぐに布団有りと判断してもよい。さらに、判断時間ｔ１の変わりに判断回数ｎを設定し、布団有判定が判断回数ｎ以上連続して成立した場合に布団有りと判断してもよい。さらにまた、前記実施形態では、布団有りと判断すると、ＰＴＣヒータ２４を停止し、ファン２２を冷却時間ｔ２だけ動作させるようにしたが、両方を停止する構成としてもよく、希望に応じて変更が可能である。
【符号の説明】
【００５２】
１０…布団乾燥機
１１…乾燥機本体（本体）
１２…吸込部
１３…吸込口
１４…重畳部（挿入部）
１５…段部
１６…ヒンジ接続部
１７…吐出部材（挿入部）
１８…接続部
１９…ルーバー
２０…吐出口
２１…送風路
２２…ファン（送風手段）
２３…駆動モータ
２４…ＰＴＣヒータ（加熱手段）
２５…伝熱部材
２６…サーミスタ（温度検出手段）
２７…操作パネル
２８…操作基板
２９ａ〜２９ｅ…スイッチ
３０ａ〜３０ｏ…ＬＥＤ
３１Ａ，３１Ｂ…赤外線センサ（布団検出手段）
３２…基板ケース
３３…制御基板
３４…マイコン（制御手段、判断手段）
３５…ＲＯＭ
【図１】
2014079278.tif 000003
【図２】
2014079278.tif 000004
【図３】
2014079278.tif 000005
【図４】
2014079278.tif 000006
【図５】
2014079278.tif 000007
【図６】
2014079278.tif 000008
【図７】
2014079278.tif 000009
【図８】
2014079278.tif 000010